(57)【要約】本発明は、アナログ電話回線（２５）とユーザ端末（２１）との間の無線インターフェース（２７）を介した通信データの伝送に関するものであり、そのために、変換器（５）が、移動式電話用の基地局（１）内に備えられている。変換器（５）は、アナログ信号からデジタル信号への変換、またはその逆の変換を行う。デジタル信号は、特に、ＤＥＣＴ規格に基づき、無線インターフェース（２７）を介して、基地局（１）とデジタル信号を復号して伝送データを取得する、あるいは、その逆を行う移動無線局（１１）との間を伝送する。
2004511962.tif 000002
【特許請求の範囲】
【請求項１】
アナログ電話回線（２５）とデータ処理加入者装置（２１）との間、特に公衆電話網とＰＣとの間で、無線インターフェース（２７）を介して伝送データを伝送するための方法であり、
上記伝送データに対応するアナログ信号をアナログ電話回線（２５）から受信し、そのアナログ信号をデジタル信号に変換し、そのデジタル信号を復号化することにより上記伝送データを取得し、および／または、
上記伝送データに対応する符号化されたデジタル信号を生成し、そのデジタル信号をアナログ信号に変換してアナログ電話回線（２５）に出力する方法であって、
上記アナログ信号から上記デジタル信号への変換、および／または、その逆の変換を行うために、
電話信号の変換にも使用できる変換器（５）を、無線電話機の基地局（１）内で使用し、デジタル信号を無線インターフェース（２７）を介して伝送し、無線インターフェースにおける基地局（１）の反対側で、復号化および／または符号化を行うことを特徴とする方法。
【請求項２】
上記信号を、ＴＤＭＡ二重通信法に基づき、無線インターフェース（２７）を介して伝送し、
一方の方向への上記信号の無線伝送に、該一方の方向の反対方向への上記信号の無線伝送よりも多くのＴＤＭＡフレームの時間スロットを使用することを特徴とする請求項１に記載の方法。
【請求項３】
上記デジタル信号を、ＴＤＭＡ二重通信法に基づき無線インターフェース（２７）を介して伝送し、
ＴＤＭＡフレームの連続する時間スロットおよび／または時間スロットのグループを、上記信号を一方の方向に無線伝送するため、および、上記信号を該一方の方向の反対方向に無線伝送するために交互に使用することを特徴とする請求項１または２に記載の方法。
【請求項４】
上記デジタル信号の無線伝送をＤＥＣＴ（デジタル増補無線通信）規格に基づいて行う一方、
時間スロットの少なくとも一部を、互いに連続する時間スロットの１つまたは複数のグループに合成すること特徴とする請求項１ないし３のいずれかに１項に記載の方法。
【請求項５】
アナログ電話回線（２５）とデータ処理加入者装置（２１）との間、特に、公衆電話網とＰＣとの間で、無線インターフェース（２７）を介して伝送データを伝送するためのシステムであり、
上記伝送データ対応し、アナログ電話回線（２５）から受信されるアナログ信号をデジタル信号に変換するため、および／または、上記伝送データに対応するデジタル信号を電話回線（２５）に出力するアナログ信号に変換するための変換器（５）と、
上記伝送データから上記デジタル信号を生成するため、および／または、上記デジタル信号から上記伝送データを取得するための信号処理装置（２５）と、
無線インターフェース（２７）を介した無線伝送のための送受信装置（３，７，１３，１７）とを有するシステムであって、
上記変換器（５）は、無線電話機用の基地局（１）の一部であり、
基地局（１）は、送受信装置の第１部分（３，７）を備えており、
送受信装置の第２部分（１３，１７）が、上記デジタル信号を伝送するために、上記無線インターフェースの反対側に備えられている、あるいは、備えることができる信号処理装置（１５）に接続されていることを特徴とするシステム。
【請求項６】
アナログ電話回線（２５）とデータ処理加入者装置（２１）との間、特に、公衆電話網とＰＣとの間で、無線インターフェース（２７）を介して伝送データを伝送するための装置であり、
上記伝送データからデジタル信号を生成するため、および／または、デジタル信号から伝送データを取得するための信号処理装置（１５）と、
信号処理装置（１５）の操作を制御するための制御装置（１６）とを有する装置であって、
上記装置は、デジタル信号を受信もしくは出力するための端末を備え、
上記デジタル信号は、無線インターフェース（２７）を介してこのデジタル信号の無線伝送を制御するための制御情報を有しており、
上記制御装置（１６）は、上記デジタル信号が、上記デジタル信号に含まれ、かつ、アナログ信号形式である上記伝送データの伝送を、上記アナログ電話回線を介して制御する制御情報も含んでおり、この受信したデジタル信号の制御情報を評価し、伝送データを取得する方法により信号処理装置（１５）を制御することを特徴とする装置。
【請求項７】
上記信号処理装置（１５）は、アナログ電話回線を介して、無線伝送を制御するための制御情報と、伝送を制御するための制御情報との双方を、付加または評価するユニットを備えていることを特徴とする請求項６に記載の装置。
【請求項８】
データ処理加入者装置（２１）、特にＰＣの伝送データを含む信号と、
電話信号を伝送するためにも適した無線インターフェース（２７）を介して、データ処理加入者装置（２１）の方向およびデータ処理加入者装置（２１）から離れる方向に伝送する上記デジタル信号との使用であって、
アナログ電話回線におけるアナログ信号からデジタル信号への変換、および／または、その逆の変換を行うための無線電話機用の基地局（１）の使用。
【請求項９】
上記信号を変換する基地局（１）の変換器（５）は、８ｋＨｚ以上、特に、約１６ｋＨｚのサンプリング速度でサンプリングし、アナログ電話回線（２５）から上記信号を受信し、この受信した信号をデジタル信号に変換することを特徴とする請求項８に記載の使用。
【発明の詳細な説明】
本発明は、アナログ電話回線とデータ処理加入者装置との間、特に、公衆電話網とパーソナルコンピュータ（ＰＣ）との間の無線インターフェースを介して伝導データを伝送するための方法、システムおよび装置に関するものである。本発明は、さらに、アナログ電話回線のアナログ信号からデジタル信号への変換、および／または、その逆の変換を行うための手段の使用に関するものである。
【０００１】
アナログ電話回線から受信され、および／または、アナログ電話回線を介して伝送される伝送データをコードレス伝送することは、大いに需要のある適用である。居住空間またはオフィス空間には、公衆電話網への端末が大抵備えられており、この公衆電話網は、例えば、３００Ｈｚ〜３，４００Ｈｚの周波数の電話信号を伝送するために設計されている。データ処理加入者装置（特に、ＰＣ）のデータも、公衆電話網を介して伝送できるように、いわゆるモデム（変調装置／復調装置）が通常は使用される。モデムは、伝送データに、伝送を制御するための制御情報を付加し、このようにして生じたデジタル信号を、アナログ電話回線を介して伝送できるアナログ信号に変換する。受信方向では、モデムは、電話回線からのアナログ信号を受信し、このアナログ信号をデジタル信号に変換し、デジタル信号を判断し、このようにして伝送データを得る。伝送データをアナログ信号に変換する多数の様々な方法がある。これら方法の多くは、ＩＴＵ−Ｔの推奨に基づいて規格化されている。最も簡単な場合では、制御情報によって、データ伝送の始まりと終わりのみが信号で伝えられる。しかし、高い伝送率を用いた最近の方法では、伝送データは、圧縮もされ、確認もしくはエラー通知が制御情報として伝送される。全体として、このような特別な方法に限定されるものではなく、以下では、デジタル信号をアナログ信号に変換するための伝送データの準備を符号化と称し、デジタル信号から伝送データの取得を復号化と称する。
【０００２】
現在、コードレス電話機、すなわち、受話器もしくは通話器とネット端末との間に繋がっている配線接続がなくてもよい電話が、広く行き渡っている。長所は明白である：通話者は、会話の最中に広範囲にわたって移動できる。しかし、アナログ電話回線とのコードレス接続は、データ処理加入者装置（ここでは、この装置に、単なるデータ格納装置も含む）のためにも望ましい。従って、特に、邪魔になる可動性の配線接続を使用することなく、または、新しい配線接続を行う必要もなく、加入者装置の場所を変化できる。
【０００３】
加入書装置からのデータまたは加入者装置へのデータを、アンテナインターフェース（Ｌｕｆｔｓｃｈｎｉｔｔｓｔｅｌｌｅ）を介して伝送できるように、モデムへまたはモデムからデータを伝送するための配線接続を切断して、データ信号を無線伝送するための送受信装置を組み込むことが知られている。送受信装置は、無線インターフェースの両側に、１つの送信および受信機をそれぞれ備えている。このような送受信装置は、例えば、シーメンス社のギガセットＭ１０１（Ｇｉｇａｓｅｔ Ｍ１０１）である。この解決手段は、モデムへ、または、モデムからのコードレス伝送の望ましい利便性を提供するが、既述のように、少なくとも２つの無線機が必要である。さらに、このような解決手段は、特定のデータ伝送率のためのみに特別に設計されているか、あるいは、異なる速度のデータ伝送に適合するように調整されていなければならない。最近のモデムは、伝送速度をデータ伝送の間に変化させることができるので、このような種類の能力のある送受信装置は、その実施の手段がかなり複雑である。
【０００４】
さらに、モデムを、無線電話機の従来の基地局に集積することが提案されている。ここでも、モデムは、データ処理加入者装置から、無線インターフェースの反対側に設置されている。従って、モデムと同じ側に設置されている無線機は、異なるデータ伝送率に適合できるように、同じく比較的複雑な機能を実行できる必要がある。
【０００５】
さらに、モデムを、無線インターフェースのデータ処理加入者装置と同じ側に配置することが知られている。この場合、アナログ電話回線から生じるアナログ信号は、まずデジタル信号に変換される。このデジタル信号は、無線インターフェースを介して伝送され、次に、再びアナログ信号に変換されてモデムへ入力される。このとき、ＡＤＰＣＭ（適応差分パルス符号変調方式）方法に基づく処理の場合、データ伝送率が、最大９，６００ビット／秒に制限されている。６４ｋビット／秒のビット率により無線伝送を行うＰＣＭ（パルス符号変調方式）では、実際のデータ転送速度が最大２８．８ｋビット／秒に制限されている。しかし、このデータ転送速度ですら、公知の実施形態では達成されない。なぜなら、４支線の経路指定（Ｓｉｇｎａｌｆｕｅｈｒｕｎｇ）から２支線への変換、そして、再び４支線への経路指定と連動して、まず信号のデジタル／アナログ変換、続いて、アナログ／デジタル変換が、モデムの無線インターフェース側で信号流通方向に、交互に行われるからである。この変換もしくは変更が、データ転送速度を制限している。さらに、このデータ無線伝送のために特別に設計されている、多数の適切な変換器が必要である。
【０００６】
本発明の目的は、異なるデータ転送速度ならびに様々な伝送規格に適応でき、効率的に無線伝送できる、冒頭で説明したような、無線インターフェースを介して伝送データを伝送するための、方法、システム、装置を提供することである。加えて、方法の実施ならびにシステムおよび装置の実施形態は、ほとんど追加の必要な開発費用を必要としない、あるいは、伴わない。本発明の他の目的は、これに相当する手段の使用を提供することである。
【０００７】
本目的は、特許請求の範囲１の特徴を有する方法、特許請求の範囲５の特徴を有するシステム、特許請求の範囲６の特徴を有する装置、および、特許請求の範囲９の特徴を有する使用によって達成される。発展した形態は、従属請求項に基づいている。
【０００８】
本発明の方法では、伝送データに対応しているアナログ信号を、アナログ電話回線から受信し（受信方向）、デジタル信号に変換し、その信号を復号して伝送データを取得する。あるいは、または、さらに、対応する符号化されたデジタル信号を、伝送データから生成し、このデジタル信号をアナログ信号に変換し、アナログ電話回線へ出力する（送信方向）。重要な事項は、アナログ信号からデジタル信号への変換、および／または、その逆の変換を行うために、基地局において電話信号を変換するためにも使用できる変換器を、無線電話機のために使用し、デジタル信号を、無線インターフェースを介して伝送し、復号化および／または符号化を、基地局から見た無線インターフェースの他方の側で行うことである。公知の解決手段と異なる点は、無線インターフェースの一方または両側に配置されている従来の（ｋｌａｓｓｉｓｃｈｅｒ）モデムが必要ないことである。むしろ、相当する機能は、無線インターフェースの両側に実施されている。このことにより、一方では、別途Ａ／Ｄ変換を必要とせずに、無線インターフェースを介して、デジタル信号としてデータの効率的な伝送を行うことができる。デジタル信号の復号化および符号化は、無線インターフェースの端末機側において行われるので、無線伝送を、伝送データの変動する伝送速度に適応させるという特別な処理は必要ない。無線伝送は、最大限可能な伝送速度において機能できることのみが必要である。特に、既述のＡＤＰＣＭまたはＰＣＭ方法のような無線伝送のための既に知られている方法を省ける。本発明の他の重要な長所は、従来の基地局の変換器を、無線電話機に使用できることである。このことにより、このような基地局が存在する場合に、さらに必要なのは、基地局から無線インターフェースの反対側をさらに提供することのみである。コードレス電話機の基地局を、全く変化または適合させずに使用することさえ可能である。しかし、データ伝送速度の現在のピーク値（Ｓｐｉｔｚｅｎｗｅｒｔｅ）を達成できるように基地局を装備または変更することが好ましい。
【０００９】
例えば、ＤＥＣＴシステムでは、基地局の変換器は、アナログ電話回線から受信される信号を、８ｋＨｚのサンプリング率でサンプリングし、例えば、１５または１６ビットの解像度（Ａｕｆｌｏｅｓｕｎｇ）のデジタル信号に変換することが少なくとも可能である。８ｋＨ以上、特に、約１６ｋＨｚのサンプリング率によるサンプリングを用いることが好ましい。市販の機器のいくつかは、既にこのことが可能である。このような高いサンプリング速度により、現在の最近のモデム方法に対応する、ＩＴＵ−Ｔ推奨の約Ｖ．９０の伝送率を実現できる。
【００１０】
本発明に基づく方法の発展した形態は、ＴＤＭＡ二重通信法（ＴＤＭＡ−Ｄｕｐｌｅｘｖｅｒｆａｈｒｅｎ）に基づくデジタル信号の無線伝送に関するものである。一方向に信号を無線伝送するためのＴＤＭＡフレームの時間スロットを、反対方向よりも、より多くの使用することが提案される。このことにより、反対方向によりも、一方向により高い伝送率が達成されるいくつかのモデム伝送規格での場合、確実に必要な程度まで、無線システムに、負荷をかけることができる。
【００１１】
本発明の他の形態は、同じくＴＤＭＡ二重通信法に関するものである。この場合、ＴＤＭＡフレームの相互に連続する時間スロットおよび／または時間スロットのグループは、一方向へ信号を無線伝送するため、および、反対方向へ信号を無線伝送するために交互に使用される。ＴＤＭＡフレームにおいて、一方向の時間スロットと反対方向の時間スロットとを、２回以上頻繁に変更すると、どちらの方向にもデータ伝送が行われない不感時間を減少できる。従って、無線インターフェースの両側の信号処理ユニットは、連続して効果的に処理を行える。
【００１２】
この方法のさらに他の発展した形態は、ＤＥＣＴ（デジタル増補無線通信）基準に基づくデジタル信号の無線伝送に関するものである。この場合、時間スロットの少なくとも一部が、相互に連続する時間スロットの１つまたは複数に合成される。このことにより、時間スロット毎のＤＥＣＴ無線伝送を制御するための制御情報の成分を減少できる。
【００１３】
冒頭で説明したような無線インターフェースを介して伝送データを伝送するための本発明のシステムは、伝送速度に対応するアナログ電話回線から受信されるアナログ信号をデジタル信号に変換するため、および／または、伝送データに対応するデジタル信号を電話回線に出力するアナログ信号に変換するための変換器を備えている。さらに、信号処理装置が、伝送データからデジタル信号を生成するため、および／または、デジタル信号から伝送データを獲得するために備えられている。さらに、システムは、送受信装置を、無線インターフェースを介した無線伝送のために備えている。本発明の重要な事項に基づき、変換器は、無線電話機用の基地局の一部であり、基地局は、送受信装置の第１部分を備えており、無線インターフェースの反対側に、送受信装置の第２部分が配置されているか、あるいは、配置することができる。この第２部分は、デジタル信号を伝送するために、信号処理装置に接続されている。
【００１４】
冒頭で説明したような伝送データを伝送するための本発明の装置は、伝送データからデジタル信号を生成するため、および／または、デジタル信号から伝送データを獲得するために、信号処理器を備えており、さらに、信号処理装置の操作を制御するための制御装置を備えている。デジタル信号を受信もしくは出力するための端末が備えられており、この際、デジタル信号は、無線インターフェースを介したデジタル信号の無線伝送を制御するための制御情報を備えている。本発明の根本となる考えに基づき、制御装置は、デジタル信号が、デジタル信号に含まれている伝送データの伝送を制御するための制御情報を、アナログ電話回線を介したアナログ信号の形態でさらに含んでおり（送信方向）、そして、受信されたデジタル信号におけるこのような制御情報を評価し、伝送データを取得（受信方向）ように信号処理装置を制御する。
【００１５】
発展した形態では、信号処理装置が、ユニットを備えており、このユニットにおいて、無線伝送を制御するための制御情報と、アナログ電話回線を介した伝送を制御するための制御情報との双方が付加され、もしくは、評価されることが好ましい。例えば、最近のデジタル信号処理装置（ＤＳＰ）は、受信方向および／または送信方向のための両方の機能を実行することができる。従って、開発コストおよびハードウエアコストを節約できる。
【００１６】
さて、本発明を、実施例を参考しながら詳しく説明する。この際、添付の図を参照する。しかし、本発明は、実施例に制限されない。図面に、ただ１つの図を示す。
【００１７】
図１の図面は、概略的に、本発明に重要な部品のみを示す。さらに他の部品および機能も備えていてもよい。
【００１８】
図１は、公衆電話網への電話回線２５を示す、この電話回線２５は、例えば、２支線に固定されている配線によって行われている。基地局１は、配電網接続（Ｎｅｔｚａｂｓｃｈｌｕｓｓ）２３と接続されている。基地局１は、公衆電話網から受信されるアナログ信号をデジタル信号に変換するための変換器５を備えている。さらに、変換器５は、デジタル信号を、配電網接続２３を介して、公衆電話網に出力するアナログ信号に変換するために使用される。変換器５は、特にσ−δ変換器であり、このσ−δ変換器は、受信方向において、１５または１６ビットの解像度の場合１６ｋＨｚのサンプリング周波数によってアナログ信号をサンプリングできる。このことは、受信方向に生じるデジタル信号の２４０または２５６ｋビット／秒のデータ転送速度であることを意味している。
【００１９】
基地局１は、さらに、無線周波数部分（ＨＦ部）３を備えている。このＨＦ部３は、変換器５によって受信されたデジタル信号をベースバンドから無線周波数信号に変換し、基地局１のアンテナ装置７に出力する。さらに、ＨＦ部３は、無線周波数信号をアンテナ装置７から受信し、これをベースバンドへと変換する。
【００２０】
アンテナ装置７は、無線インターフェース２７の一方側を規定する。この一方側を介して、無線周波数信号をアンテナ装置１７へと伝送でき、この一方側から無線周波数信号を受信できる。アンテナ装置１７は、移動無線局１１の構成部である。この移動無線局１１において、無線周波数信号がさらに処理される。移動無線局１１は、常に可動式である必要はなく、例えば、固定して設置されていてもよい。しかし、この移動無線局１１は、基地局１の送信領域における実質的な任意の位置に、少なくとも１回動かすことができる限り移動式である。しかし、移動無線局１１は、小型化された可動式機器であることが好ましい。この機器は、例えば、Ｖ．２４規格に基づいて操作されるデータ配線と、あるいは、ＵＳＢインターフェースを介してデータ処理加入者装置と接続されてもよい。図１の実施例では、この加入者装置は、パーソナルコンピュータ（ＰＣ）２１である。
【００２１】
移動無線局１１は、ＨＦ部１３を備えている。このＨＦ部１３は、ＨＦ部３に相当して、無線周波数信号をベースバンド信号に変換もしくはその逆の変換を行う。ＨＦ部１３は、デジタル信号の処理をベースバンドにおいて行うデジタル信号処理装置（ＤＳＰ）１５と接続されており、このデジタル信号から、実際の伝送データが取得される。次に、伝送データは、ＰＣ２１へと出力される。逆に、ＤＳＰ１５は、ＰＣ２１から受信される伝送データを適切なデジタル信号に変換し、そして、このデジタル信号を、ＨＦ部１３に出力する。
【００２２】
移動無線局１１は、例えば、差し込み式のカードとして、ＰＣ２１に組み入れることもできる。この場合、ＰＣ２１と移動無線局１１との間の配線接続は、例えば、ＰＣ２１の内部データバスの一部を示す。
【００２３】
さらに、移動無線局１１は、ＤＳＰ１５の操作を制御する制御部１６を備えている。
【００２４】
さて、以下に、例として、図１に示したシステムの機能を説明する。
【００２５】
基地局１は、ＤＥＣＴ規格に基づいて稼働している基地局であり、この基地局は、コードレス電話機を操作するためにも使用できる。このため、移動無線局１１も、ＤＥＣＴ規格に基づいて信号を加工するために設計されている。ＨＦ部３，１３は、例えば、いわゆる、低速ホッピングＨＦ部（Ｓｌｏｗ−Ｈｏｐｐｉｎｇ ＨＦ−Ｔｅｉｌｅ）であり、この部分では、ＴＤＭＡフレームの各１２個の送信および受信時間スロットのうち、それぞれ６個が、ＨＦ部３，１３に含まれている合成器の安定化（Ｅｉｎｓｃｈｗｉｎｇｅｎ）のために必要である。それゆえ、送受信方向において、ＴＤＭＡフレーム毎にそれぞれ６個のみの時間スロットを使用できる。
【００２６】
さて、ＰＣ２１から、アナログ電話回線２５を介して、遠隔地にあるデータ処理装置へデータ伝送が行われる。この回線の間に、遠隔地の装置からの伝送データもＰＣ２１へと伝送される。制御部１６は、ＩＴＵ−Ｔ推奨Ｖ．９０に基づいて稼働できる従来のモデムを制御するように、移動無線局１１の操作を制御できる。遠隔地のデータ処理装置にも、この推奨に基づいて稼働している伝送装置が備えられている場合、制御部１６は、ＨＦ部に出力されたデジタル信号が適切に圧縮され、適切な制御情報が備えられ、もしくは、ＨＦ部１３によって受信されたデジタル信号が、正確に判断されるように、ＤＳＰ１５の操作を制御する。さらに、付加的な機能、例えば、エコー補償と伝送される信号のエラーの修正との制御は、制御部１６の任務である。このため、別途、図示していない部品、例えば、ＤＳＰ１５および／または制御部１６と連動するデータ蓄積部を、移動無線局１１に備えることもできる。
【００２７】
Ｖ．９０推奨に基づき、受信方向、すなわち、電話回線２５から生じてＤＳＰ１５の方向に、５６ｋビット／秒までの実際に伝送されるデータのデータ伝送速度が達成される。これに対して、送信方向では、著しく小さなデータ転送速度である。ＤＳＰ１５と変換器５との間を伝送するデジタル信号の場合、受信方向に２４０ｋビット／秒のデータ転送速度、もしくは、受信方向における１２０ｋビット／秒のデータ例がこれに相当する。これらのデータ転送速度は、実際のデータ伝送速度よりも大きい。なぜなら、受信方向では、変換器５によって受信されるアナログ信号の十分なサンプリング情報を、デジタル信号で受信する必要があるからであり、送信方向では、アナログ信号に変換するための変換器５用に、十分な情報を備えている必要があるためである。基地局１と移動無線局１１との間の伝送経路において、無線伝送を制御するための制御情報がさらに付加される。
【００２８】
デジタル信号を、受信方向に、２４０ｋビット／秒で伝送できるように、受信方向のために使用できる、ＴＤＭＡフレームの６個の時間スロットが、３つの二重時間スロットに合成される。この際、各二重時間スロットは、２つの直接連続する時間スロットにより構成されている。二重時間スロットの間に、合成装置を安定させるために十分な更なる時間スロットを使用できる。時間スロットをまとめることにより、ＤＥＣＴ制御情報における成分を、２個の時間スロット毎に減少できる。その結果、個々の時間スロットに関連してデジタル信号を伝送するために、３２０ビットの代わりに４００ビットの伝送キャパシタを使用できる。なぜなら、ＴＤＭＡフレームの時間的な長さは１０ｍｓなので、このような方法で、望ましい２４０ｋビット／秒が伝送される。このことは、１５ビットの解像度の場合に１６ｋＨｚのサンプリング率を用いてアナログ信号を上述のようにサンプリングする場合、デジタル信号に対応する正確な全てのサンプリング情報を、ＴＤＭＡフレームごとに３つの二重時間スロットにおいて伝送できることを意味している。
【００２９】
従って、基地局は、通常の無線伝送とは異なり、ＤＥＣＴ基準に基づいて作動するが、サンプリング率が、二重時間スロットにおいて複写される必要があり、上記の高い信号サンプリング率が存在する必要があるということは例外である。既に市販されている、十分なサンプリング速度によって稼働する機器の場合、ハードウエアの変更を行う必要はない。伝送方法は、機器の制御を変更することだけで、例えば、機器のソフトウエアをアップデートすることによって、実現できる。
【００３０】
送信方向では、移動無線局１１は、このように伝送されるサンプリング情報と、さらに、同じ時間スロットで受信されるＤＥＣＴ制御情報とを受信する。この場合、制御部１６とＤＳＰ１５とは、ＤＳＰ１５が、ＤＥＣＴ制御情報を処理し、サンプリング情報から実際の伝送データを獲得するように連動する。逆に、制御部１６は、ＤＳＰ１５が、使用されているＩＴＵ−Ｔ推奨に基づいて、実際の伝送データをデジタル信号に変換し、さらに、ＤＥＣＴ制御情報を付加するように、ＤＳＰ１５を送信方向に制御する。例えば、データ蓄積部を使用することにより、ＤＳＰ１５は、例えば、多重タスク操作（Ｍｕｌｔｉｔａｓｋｉｎｇ−Ｂｅｔｒｉｅｂ）において、全てのこれら上記のタスクを行う。
【００３１】
ＤＥＣＴ方法の好ましい変形例では、１２個の互いに連続している、受信方向のための時間スロット、および、これに続く１２個の互いに連続する送信方向のための時間スロットに、ＴＤＭＡフレームを厳格に分割しなくてもよい。例えば、上記のＶ．９０推奨に基づくモデム伝送のように、少なくとも２４０ｋビット／秒を、デジタル信号のために必要とする場合、８個の個々の時間スロットが、受信方向のために使用され、４個の個々の時間スロットが、送信方向のために使用されることが好ましい。さらに、分割の際に、低速ホッピングＨＦ部の合成装置を安定化するため、両方向のための時間スロットを、まだ十分に使用でき、その上、個々の時間スロットを、相互に連続している時間スロットのグループに合成することを省略できる。デジタル信号は、受信方向に、２５６ｋビット／秒のデータ転送速度によってさえ伝送でき、その結果、変換器５のサンプリング率が、１６ｋＨｚの場合、１６ビットの解像度によって稼働できる。
【００３２】
さらに他の変形例、特に、高速ホッピングＨＦ部を使用する場合には、ＴＤＭＡフレームの範囲内で、送信装置用および受信装置用に時間スロットが数回交互に行われる。このことは、不感時間、すなわち、伝送方向に情報を伝送できない時間を減少できる。なぜなら、この時間には情報が他の方向に伝送されるからである（ＴＤＭＡ二重通信法）。このことにより、特に、妨害の生じたとき、迅速に反応することができ、例えば、不正確に受信された情報は、新規に伝送される。とりわけ、モデム操作の場合、このような全体的により速いデータ伝送を実現できる、もしくは、より速くデータの適切な伝導速度に変更できる。
【００３３】
要するに、本発明により、アナログ電話回線とデータ処理加入者装置間の無線インターフェースを介したデータ伝送の実現は、特に費用効率が高いことが確認できる。コードレス電話機用の既に存在する基地局に、場合によっては、ほんの僅かな変更を行う必要がある。さらに、基地局は、大量生産によって製造でき、無線電話機の操作、ほかの無線伝送システム、および、データを無線伝送の本発明の方法にも同じように適応可能である。さらに、最近の基地局の場合、現在のＩＴＵ−Ｔ推奨に相当する高いデータ伝送率を達成できる。
【図面の簡単な説明】
【図１】
無線インターフェースの一方が公衆電話網と接続されており、無線インターフェースの反対側がＰＣと接続されている、無線インターフェースを介して伝送データを伝送するシステムのための実施形態を示す図である。
【国際公開パンフレット】
2004511962.tif 000003
2004511962.tif 000004
2004511962.tif 000005
2004511962.tif 000006
2004511962.tif 000007
2004511962.tif 000008
2004511962.tif 000009
2004511962.tif 000010
2004511962.tif 000011
2004511962.tif 000012
2004511962.tif 000013
2004511962.tif 000014
2004511962.tif 000015
2004511962.tif 000016
2004511962.tif 000017
2004511962.tif 000018
2004511962.tif 000019
2004511962.tif 000020
2004511962.tif 000021
2004511962.tif 000022
【国際公開パンフレット（コレクトバージョン）】
2004511962.tif 000023
【手続補正書】
【提出日】平成15年1月3日(2003.1.3)
【手続補正１】
【補正対象書類名】明細書
【補正対象項目名】０００５
【補正方法】変更
【補正の内容】
【０００５】
さらに、モデムを、無線インターフェースのデータ処理加入者装置と同じ側に配置することが知られている。この場合、アナログ電話回線から生じるアナログ信号は、まずデジタル信号に変換される。このデジタル信号は、無線インターフェースを介して伝送され、次に、再びアナログ信号に変換されてモデムへ入力される。このとき、ＡＤＰＣＭ（適応差分パルス符号変調方式）方法に基づく処理の場合、データ伝送率が、最大９，６００ビット／秒に制限されている。６４ｋビット／秒のビット率により無線伝送を行うＰＣＭ（パルス符号変調方式）では、実際のデータ転送速度が最大２８．８ｋビット／秒に制限されている。しかし、このデータ転送速度ですら、公知の実施形態では達成されない。なぜなら、４支線の経路指定（Ｓｉｇｎａｌｆｕｅｈｒｕｎｇ）から２支線への変換、そして、再び４支線への経路指定と連動して、まず信号のデジタル／アナログ変換、続いて、アナログ／デジタル変換が、モデムの無線インターフェース側で信号流通方向に、交互に行われるからである。この変換もしくは変更が、データ転送速度を制限している。さらに、このデータ無線伝送のために特別に設計されている、多数の適切な変換器が必要である。刊行物ＰＣＴ特許第９８／５２３６８号（ＷＯ９８／５２３６８）に、データ処理端末装置、モデムおよびアナログ電話回線により構成されるシステムが記載されている。このシステムは、無線インターフェースを備えている。ここでは、変換器が、中央基地局制御器に配置されているモデム内に備えられている。この際、変換器は、ファックス信号を変換する必要のある場合、受信方向にも送信方向にも使用される。刊行物米国特許公報第５，８６２，４７４号（ＵＳ５，８６２，４７４）に、コンピュータ、モデム、無線インターフェースおよびアナログ電話網に接続されている基地局により構成されるシステムが記載されている。基地局の構造に関連する記載は、刊行物に含まれていない。
【手続補正２】
【補正対象書類名】明細書
【補正対象項目名】０００６
【補正方法】変更
【補正の内容】
【０００６】
本発明の目的は、異なるデータ転送速度ならびに様々な伝送規格に適応でき、効率的に無線伝送できる、冒頭で説明したような、無線インターフェースを介して伝送データを伝送するための方法およびシステムを提供することである。加えて、方法の実施およびシステムの実施形態は、ほとんど追加の必要な開発費用を必要としない、あるいは、伴わない。本発明の他の目的は、これに相当する手段の使用を提供することである。


【手続補正３】
【補正対象書類名】明細書
【補正対象項目名】０００７
【補正方法】変更
【補正の内容】
【０００７】
本目的は、特許請求の範囲１の特徴を有する方法、特許請求の範囲５の特徴を有するシステム、特許請求の範囲６の特徴を有する装置、および、特許請求の範囲９の特徴を有する使用によって達成される。発展した形態は、従属請求項に基づいている。


【手続補正４】
【補正対象書類名】明細書
【補正対象項目名】００１５
【補正方法】変更
【補正の内容】
【００１５】
その際、信号処理装置が、ユニットを備えており、このユニットにおいて、無線伝送を制御するための制御情報と、アナログ電話回線を介した伝送を制御するための制御情報との双方が付加され、もしくは、評価されることが好ましい。例えば、最近のデジタル信号処理装置（ＤＳＰ）は、受信方向および／または送信方向のための両方の機能を実行することができる。従って、開発コストおよびハードウエアコストを節約できる。




【手続補正書】
【提出日】平成15年2月10日(2003.2.10)
【手続補正１】
【補正対象書類名】明細書
【補正対象項目名】特許請求の範囲
【補正方法】変更
【補正の内容】
【特許請求の範囲】
【請求項１】
電話回線（２５）に接続されたコードレス電話機用の基地局（１）、加入者装置（２１）に連結されている移動無線局（１１）、および基地局（１）と移動無線局（１１）との間で使用されるコードレス電話機用の無線インターフェースによって、アナログ電話回線（２５）とデータ処理加入者装置（２１）との間で伝送データを伝送するための方法であって、
アナログ電話回線（２５）から、伝送データに相当するアナログ信号を受信する工程と、
基地局（１）に備えられ、無線インターフェース（２７）を介してコードレス電話機に電話信号を変換するためにも備えられた変換器（５）によって、上記アナログ信号をデジタル信号に変換する工程と、
このデジタル信号を無線インターフェース（２７）を介して伝送する工程と、
伝送データを取得することにより、移動無線局（１１）に信号処理装置（１５）によって上記デジタル信号を復号する工程とを含み、かつ
逆方向の伝送を行うために、
信号処理装置（１５）によって伝送データから符号化されたデジタル信号を生成する工程と、
無線インターフェース（２７）を介して上記デジタル信号を伝送する工程と、
変換機（５）によって上記デジタル信号をアナログ信号に変換する工程と、
このアナログ信号をアナログ電話回線（２５）に出力する工程とを有する方法。
【請求項２】
上記データ処理加入者装置は、ＰＣ（２１）であることを特徴とする、請求項１に記載の方法。
【請求項３】
上記信号を、ＴＤＭＡ二重通信法に基づき、無線インターフェース（２７）を介して伝送し、
一方の方向への上記信号の無線伝送に、該一方の方向の反対方向への上記信号の無線伝送よりも多くのＴＤＭＡフレームの時間スロットを使用することを特徴とする請求項１または２に記載の方法。
【請求項４】
上記デジタル信号を、ＴＤＭＡ二重通信法に基づき無線インターフェース（２７）を介して伝送し、
ＴＤＭＡフレームの連続する時間スロットおよび／または時間スロットのグループを、上記信号を一方の方向に無線伝送するため、および、上記信号を該一方の方向の反対方向に無線伝送するために交互に使用することを特徴とする請求項１ないし３のいずれか１項に記載の方法。
【請求項５】
上記デジタル信号の無線伝送をＤＥＣＴ（デジタル増補無線通信）規格に基づいて行う一方、
時間スロットの少なくとも一部を、互いに連続する時間スロットの１つまたは複数のグループに合成すること特徴とする請求項１ないし４のいずれかに１項に記載の方法。
【請求項６】
電話回線（２５）に接続されたコードレス電話機用の基地局（１）と、基地局（１）とコードレス電話機との間を、無線インターフェース（２７）を介して基地局（１）に無線接続し、かつ、加入者装置（２１）に接続する移動無線局（１１）とを備えた、アナログ電話回線（２５）とデータ処理加入者装置（２１）との間に伝送データを伝送するためのシステムであって、
基地局（１）は、無線インターフェース（２７）を介した無線伝送のための送受信装置（３，７，１３，１７）の第１部分と、伝送データに対応しアナログ電話回線（２５）から受信されるアナログ信号をデジタル信号に変換するため、および、伝送データに対応するデジタル信号を電話回線（２５）に出力するアナログ信号に変換するための変換器（５）とを備え、変換機（５）は、無線インターフェース（２７）を介してコードレス電話機に伝送するための電話信号を変換するためにも備えられているものであり、
移動無線局（１１）は送受信装置（３，７，１３，１７）の第２部分（１３）を有し、信号処理装置（１５）が送受信装置（３，７，１３，１７）の第２部分（１３）に接続されており、上記伝送データからデジタル信号を生成し、デジタル信号から伝送データを取得するシステム。
【請求項７】
上記データ処理加入者装置は、ＰＣ（２１）であることを特徴とする、請求項６に記載のシステム。
【請求項８】
データ処理加入者装置（２１）の伝送データを含む信号と、
電話信号を伝送するためにも使用される無線インターフェース（２７）を介して、データ処理加入者装置（２１）の方向およびデータ処理加入者装置（２１）から離れる方向に伝送する上記デジタル信号との使用であって、
アナログ電話回線におけるアナログ信号からデジタル信号への変換、および、その逆の変換を行うための変換機（５）を有するコードレス電話機の基地局（１）の使用。
【請求項９】
上記信号を変換する基地局（１）の変換器（５）は、８ｋＨｚ以上、特に、約１６ｋＨｚのサンプリング速度でサンプリングし、アナログ電話回線（２５）から上記信号を受信し、この受信した信号をデジタル信号に変換することを特徴とする請求項８に記載の使用。
【手続補正２】
【補正対象書類名】明細書
【補正対象項目名】０００８
【補正方法】変更
【補正の内容】
【０００８】
本発明の方法では、伝送データに対応しているアナログ信号を、アナログ電話回線から受信し（受信方向）、デジタル信号に変換し、信号を復号して伝送データを取得する。さらに、対応する符号化されたデジタル信号を、伝送データから生成し、このデジタル信号をアナログ信号に変換し、アナログ電話回線へ出力する（送信方向）。重要な事項は、アナログ信号をデジタル信号に、および、その逆に変換するために、基地局において電話信号を変換するためにも使用できる変換器を、無線電話機のために使用し、デジタル信号を、無線インターフェースを介して伝送し、復号化および符号化を、基地局から見た無線インターフェースの他方の側で行うことである。公知の解決手段と異なる点は、無線インターフェースの一方または両側に配置されている従来の（ｋｌａｓｓｉｓｃｈｅｒ）モデムが必要ないことである。むしろ、相当する機能は、無線インターフェースの両側に実施されている。このことにより、一方では、別途Ａ／Ｄ変換を必要とせずに、無線インターフェースを介して、デジタル信号としてデータの効率的な伝送を行うことができる。デジタル信号の復号化および符号化は、無線インターフェースの端末機側において行われるので、無線伝送を、伝送データの変動する伝送速度に適応させるという特別な処理は必要ない。無線伝送は、最大限可能な伝送速度において機能できることのみが必要である。特に、既述のＡＤＰＣＭまたはＰＣＭ方法のような無線伝送のための既に知られている方法を省ける。本発明の他の重要な長所は、従来の基地局の変換器を、コードレス電話機に使用できることである。このことにより、このような基地局が存在する場合に、さらに必要なのは、基地局から無線インターフェースの反対側をさらに提供することのみである。コードレス電話機の基地局を、全く変化または適合させずに使用することさえ可能である。しかし、データ伝送速度の現在のピーク値（Ｓｐｉｔｚｅｎｗｅｒｔｅ）を達成できるように基地局を装備または変更することが好ましい。


【手続補正３】
【補正対象書類名】明細書
【補正対象項目名】００１３
【補正方法】変更
【補正の内容】
【００１３】
冒頭で説明したような無線インターフェースを介して伝送データを伝送するための本発明のシステムは、伝送速度に対応するアナログ電話回線から受信されるアナログ信号をデジタル信号に変換するため、および、伝送データに対応するデジタル信号を電話回線に出力するアナログ信号に変換するための変換器を備えている。さらに、信号処理装置が、伝送データからデジタル信号を生成するため、および、デジタル信号から伝送データを獲得するために備えられている。さらに、システムは、送受信装置を、無線インターフェースを介した無線伝送のために備えている。本発明の重要な事項に基づき、変換器は、コードレス電話機用の基地局の一部であり、電話番号を変換するためにも使用され、基地局は、送受信装置の第１部分を備えており、無線インターフェースの反対側に、送受信装置の第２部分が配置されている。この第２部分は、デジタル信号を伝送するために、信号処理装置に接続されている。


【手続補正４】
【補正対象書類名】明細書
【補正対象項目名】００１４
【補正方法】変更
【補正の内容】
【００１４】
冒頭で説明したような伝送データを伝送するための装置は、伝送データからデジタル信号を生成するため、および、デジタル信号から伝送データを獲得するために、信号処理器を備えており、さらに、信号処理装置の操作を制御するための制御装置を備えている。デジタル信号を受信もしくは出力するための端末が備えられており、この際、デジタル信号は、無線インターフェースを介したデジタル信号の無線伝送を制御するための制御情報を備えている。制御装置は、デジタル信号が、デジタル信号に含まれている伝送データの伝送を制御するための制御情報を、アナログ電話回線を介したアナログ信号の形態でさらに含んでおり（送信方向）、そして、受信されたデジタル信号におけるこのような制御情報を評価し、伝送データを取得（受信方向）ように信号処理装置を制御する。




【国際調査報告】
2004511962.tif 000024
2004511962.tif 000025
2004511962.tif 000026
2004511962.tif 000027